(57)【要約】      （修正有）【課題】植物の根を養液の流れの中にいれる植物の水耕栽培において、養液の流れを造るための電気モーターへの電気を使用しない。【解決手段】水耕栽培であるが、電気を使用しないで、植物の根を育成するには、植物栽培小型容器の中に培地に水苔をいれて、植物栽培小型容器は水耕栽培容器の中に入れて、外部容器から養液を自動給水で水耕栽培容器が水位を一定に保つようにすることで解決した。【選択図】図４
2016214220.tif 000002
【特許請求の範囲】
【請求項１】
水耕栽培で使用する容器であって、
水耕栽培容器と、草花や野菜を栽培する容器で、２個の容器を組み合わせすることで完成する、
水耕栽培容器に対して、栽培する容器を入れ替え可能で、水耕栽培容器の水源は、水容器となり、水容器は水耕栽培容器に対して，着脱方式で接続され、水容器からは水耕栽培容器に自動給水となる、
水容器自身はキャツプの先に給水ホースが接続され、ホースの先端部は水耕栽培容器の中に入り、ホースの先端部の高さで、水耕栽培容器の内部水位がきまる、
水耕栽培容器内部水位は、一定より下がると、水容器から給水受けて、水位が一定まで戻れば、水容器からの給水は止まる、
水耕栽培容器の中に、栽培する容器を入れますと、栽培する容器の底部より給水受けて、栽培する容器内部には水苔などを入れておくことで毛細管現象により、水耕栽培容器の水を栽培する容器が水を吸い上げて、水耕栽培容器の水位が変化する、
栽培する容器の中に植物を入れて、栽培をすることで、植物の根からの水の吸収の作用で水耕栽培容器の内部水位が下がると、水容器の給水ホース先端部が空気に触れて、水容器の内部に空気が入り、給水ホースから水耕栽培容器に自動給水をすることで、水耕栽培容器の水位が常に一定に保つことを特徴とする水耕栽培容器。
【発明の詳細な説明】
【技術分野】
【０００１】  本発明は、水耕栽培によって、草花や野菜を栽培する容器である。
【背景技術】
【０００２】  従来の水耕栽培は電気によるモーター回転で水の流れを水耕栽培容器の内部で起こさせて植物を栽培する。
【発明の開示】
【発明が解決しようとする課題】
【０００３】  前記の水耕栽培容器には、常にモーターを回転させて、水の流れの中で、植物を栽培する必要がある、
本発明は水耕栽培容器であるが、電気を使用しないで、水耕栽培容器の中で植物を栽培することを提案する。
【課題を解決するための手段】
【０００４】  本発明は、上記の目的を達成するために、
水耕栽培容器と、草花や野菜を栽培する容器で、２個の容器を組み合わせすることで完成する、
水耕栽培容器に対して、栽培する容器を入れ替え可能で、水耕栽培容器の水源は、水容器となり、水容器は水耕栽培容器に対して，着脱方式で接続され、水容器からは水耕栽培容器に自動給水となる、
水容器自身はキャツプの先に給水ホースが接続され、ホースの先端部は水耕栽培容器の中に入り、ホースの先端部の高さで、水耕栽培容器の内部水位がきまる、
水耕栽培容器内部水位は、一定より下がると、水容器から給水受けて、水位が一定まで戻れば、水容器からの給水は止まる、
水耕栽培容器の中に、栽培する容器を入れますと、栽培する容器の底部より給水受けて、栽培する容器内部には水苔などを入れておくことで毛細管現象により、水耕栽培容器の水を栽培する容器が水を吸い上げて、水耕栽培容器の水位が変化する、
栽培する容器の中に植物を入れて、栽培をすることで、植物の根からの水の吸収の作用で水耕栽培容器の内部水位が下がると、水容器の給水ホース先端部が空気に触れて、水容器の内部に空気が入り、給水ホースから水耕栽培容器に自動給水をすることで、水耕栽培容器の水位が常に一定に保つことを特徴とする水耕栽培容器で、上記の課題を解決した。
【発明の効果】
【０００５】  上述したように、水耕栽培容器であるが、外部からの電気設備の必要がなく、養液を水容器により自動給水可能で、水耕栽培容器に対して栽培する容器の入れ替えも可能となる。
【図面の簡単な説明】
【０００６】
【図１】  栽培する容器平面図
【図２】  栽培する容器断面図
【図３】  水容器平面図
【図４】  水容器断面図
【図５】  水耕栽培容器平面図
【図６】  水耕栽培容器断面図
【図７】  水耕栽培容器組立完成断面図
【符号の説明】
【０００７】１、水耕栽培容器
２、給水ホース受け口
３、水容器
４、キャツプ
５、給水ホース
６、栽培する容器
７、栽培する容器底部穴
８、栽培する容器の設置位置
９、養液水位面
１０、培地
１１、開口部
１２、給水ホース出口
【発明を実施するための形態】
【０００８】  以下、本発明の実施の形態を図１−図７に基づいて説明する。
図１は、栽培する容器平面図を示す。
栽培する容器６の中に培地１０として、水苔などを入れて栽培する容器底部穴７から出てくる水耕耕栽培容器１の養液を、培地１０の水苔により毛細管現象の作用で水苔全体に養液がまわる。
【０００９】  図２は、栽培する容器断面図を示す。
栽培する容器６は培地１０を入れやすくするために、上から底部まで培地１０を収納しやすい構造となっている。
【００１０】  図３は、水容器平面図を示す。
水容器３は養液を入れるために、水容器３の上部はキャツプ４がつく、キャツプ４の中心部には給水ホース５が固定されている。
【００１１】  図４は、水容器断面図を示す。
水容器３はキャツプ４の先端部に給水ホース５が出ている、給水ホース５は筒状で給水ホース出口１２となる、水容器３に養液を入れるためにはキャツプ４を外して、水容器３に養液を入れてから、キャツプ４をしめる。
【００１２】  図５は、水耕栽培容器平面図を示す。
水耕栽培容器１は容器全体が一体構成容器形状となっている、水容器３を置く場所には、給水ホース受け口２あり、給水ホース５が給水ホース受け口２の中に入る、水耕栽培容器１には開口部１１がある、栽培する容器６を開口部１１に入れる場所は、栽培する容器設置位置８となる。
【００１３】  図６は、水耕栽培容器断面図。
水耕栽培容器１は、全体が一体形状で構成されている容器となる、栽培する容器６を入れる開放部１１が設けられている、ここから栽培する容器６の入口となる。
【００１４】  図７は、水耕栽培容器組立完成断面図
水耕栽培容器１には栽培する容器６が中に入る、水容器３は水耕栽培容器１の上に、水容器３は逆さまの状態で設置される、水容器３のキャツプ４の給水ホース５の給水ホース出口１２が水耕栽培容器１の中に入る、水容器３の養液は給水ホース出口１２から養液は水耕栽培容器１のなかに流下していくが、給水ホース出口１２が養液水位面９に接すると、水容器３からの養液の流下は止まる、栽培する容器６の中の培地１０の毛細管現象により、養液水位面９が下がると、給水ホース出口１２が空気に触れることで、水容器３の中に空気が入り、水容器３の養液が給水ホース出口１２から水耕栽培容器１に養液が給水される。
【図１】
2016214220.tif 000003
【図２】
2016214220.tif 000004
【図３】
2016214220.tif 000005
【図４】
2016214220.tif 000006
【図５】
2016214220.tif 000007
【図６】
2016214220.tif 000008
【図７】
2016214220.tif 000009
【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
水耕栽培で使用する容器であって、
植物を栽培する小型容器は水耕栽培容器底部に置かれて、水耕栽培容器は小型容器を受け入れする口径は小型容器と同じ寸法で、水耕栽培容器に小型容器が入ると、水耕栽培容器は密封状態に近い状態になり、水耕栽培容器の受けいれ口は、小型容器で受け入れ口はふさがれる、
水耕栽培で使用する養液は、外部より給水を受けいれする口は、水耕栽培容器に２か所受け入れ口設けて、１か所目はペットボトル容器の先端部キャツプ受け入れ口と、２か所目は給水ホースを受け入れ口を持つことを特徴とする水耕栽培容器。
【手続補正２】
【補正対象書類名】明細書
【補正対象項目名】全文
【補正方法】変更
【補正の内容】
【発明の詳細な説明】
【技術分野】
【０００１】  本発明は、水耕栽培によって、草花や野菜を栽培する容器である。
【背景技術】
【０００２】  従来の水耕栽培は電気によるモーター回転で、水の流れを水耕栽培容器の内部に水流起こさせて植物を栽培する。
【発明の開示】
【発明が解決しようとする課題】
【０００３】  前記の水耕栽培容器には、常にモーターを回転させて、水の流れの中で、植物を栽培する必要がある、
本発明は水耕栽培容器であるが、電気を使用しないで、水耕栽培容器の中で植物を栽培することを提案する。
【課題を解決するための手段】
【０００４】  本発明は、上記の目的を達成するために、水耕栽培容器と、植物を栽培する小型容器、２個の容器組み合わせで可能にする、
植物を栽培する小型容器は水耕栽培容器底部に置かれて、水耕栽培容器は小型容器を受け入れする口径は小型容器と同じ寸法で、水耕栽培容器に小型容器が入ると、水耕栽培容器は密封状態に近い状態になり、水耕栽培容器の受けいれ口は、小型容器で受け入れ口はふさがれる、
水耕栽培で使用する養液は、外部より給水を受けいれする口は、水耕栽培容器に２か所受け入れ口設けて、１か所目はペットボトル容器の先端部キャツプ受け入れ口と、２か所目は給水ホースを受け入れ口を持つことを特徴とする水耕栽培容器で、上記の課題を解決した。
【発明の効果】
【０００５】  上述したように、水耕栽培容器であるが、外部からの電気設備の必要がなく、養液をペットボトル容器とポリタンクにより自動給水可能で、水耕栽培容器に対して栽培する植物小型容器の入れ替えも可能となる。
【図面の簡単な説明】
【０００６】
【図１】  水耕栽培容器平面図
【図２】  補助ポリタンク給水口断面図
【図３】  ペットボトル給水口断面図
【図４】  補助タンク組立完成断面図
【図５】  ペットボトル組立完成断面図
【図６】  植物栽培小型容器断面図
【図７】  植物栽培小型容器内部平面図
【符号の説明】
【０００７】１、水耕栽培容器
２、植物栽培小型容器受け入れ口
３、補助ポリタンク給水口
４、ペットボトル給水口
５、補助ポリタンク
６、給水ホースストッパー
７、補助ポリタンク給水ホース
８、ペットボトル給水ホース
９、水位面ペットボトル側
１０、水位面ポリタンク側
１１、植物栽培小型容器
１２、水苔
１３、小型容器底部給水口
１４、ペットボトル容器
【発明を実施するための形態】
【０００８】  以下、本発明の実施の形態を図１―図７に基づいて説明する。
図１は、水耕栽培容器平面図を示す。
水耕栽培容器は口径部が３か所あり、一番大きな口径は植物栽培小型容器を受け入れ口２と、２番目の口径はペットボトル給水口４と、３番目の受け入れ口、補助ポリタンク給水口３受け入れ口で構成されている水耕栽培容器１となる。
【０００９】  図２は、補助ポリタンク給水口断面図を示す。
補助ポリタンク給水口３は、補助ポリタンク給水ホース７の受け入れ口となる。
【００１０】  図３は、ペットボトル給水口断面図を示す。
ペットボトル容器１４のキャツプ先端部ホース８の受け入れ口となる。
【００１１】  図４は、補助タンク組立完成断面図を示す。
補助ポリタンク５のキャツプに補助ポリタンク給水ホース７を接続し、ホース先端部には、補助ポリタンク給水口３に対して、給水ホースストッパー６を設けて、ホース先端部を補助ポリタンク給水口３に差し入れる。
【００１２】  補助ポリタンク５の中にある養液は、水耕栽培容器１中に補助ポリタンク給水ホース７より流下して、水耕栽培容器１内部水位が上がり、水位面ポリタンク側１０上がり、補助ポリタンク給水ホース７の先端部が水位面に達すると補助ポリタンク５から養液の給水が止まる。
【００１３】  図５は、ペットボトル組立完成断面図示す。
ペットボトル容器１４の先端部キャツプに、ペットボトル給水ホース８を接続して、水耕栽培容器１のペットボトル給水口４に差し入れて、ペットボトル容器１４の内部養液が、水耕栽培容器１の中に流下して、ペットボトル給水ホース８の先端部が水位面ペットボトル側９に達すると、ペットボトル容器１４から養液の給水が止まる。
【００１４】  図６は、植物栽培小型容器断面図を示す。
植物栽培小型容器１１は、水耕栽培容器１の植物栽培小型容器受け入れ口２より、水耕栽培容器１の中に置かれる、植物栽培小型容器１１の中には培地として水苔等がはいる。
【００１５】  図７は、植物栽培小型容器内部平面図を示す。
植物栽培小型容器内部１１の底部には、小型容器底部給水口１３があり、水耕栽培容器１の中置かれた状態で、小型容器底部給水口１３から養液が入ってくる。
【００１６】  水耕栽培容器１の中に置かれた植物栽培小型容器１１の中にある、水苔１２により、毛細管現象が始まり水耕栽培容器１中の養液を吸い上げて、水耕栽培容器１の水位面が下がることで、給水ホース先端部から空気が入り、給水ホース先端部から養液の給水がはじまる、給水ホース先端部が水位面に接すると養液の給水が止まる。
【００１７】  水耕栽培容器１に補助ポリタンク５とペットボトル１４が、接続されている状態では、補助ポリタンク給水ホース７はペットボトル給水ホース８より短く製作されている、水位面ポリタンク側１０が高くなり、水位面ペットボルト側９より高くなる、補助ポリタンク５が空になり水位面さがり水位面ペットボトル側９水位面さがると、ペットボトル容器１４からの給水がはじまる、補助ポリタンク５が空になるまで、ペットボトル容器１４からの給水はしない。
【００１８】  植物栽培小型容器１１に植物が栽培されていれば、根から水苔の養分を吸い上げて、水耕栽培容器１の水位面さげることで、給水が繰り返される。
【手続補正４】
【補正対象書類名】図面
【補正対象項目名】全図
【補正方法】変更
【補正の内容】
【図１】
2016214220.tif 000010
【図２】
2016214220.tif 000011
【図３】
2016214220.tif 000012
【図４】
2016214220.tif 000013
【図５】
2016214220.tif 000014
【図６】
2016214220.tif 000015
【図７】
2016214220.tif 000016